(57)【要約】【課題】相互に交差する２つの壁部のそれぞれの開口部が連通するようにして、開口部の開口面積を広くし、しかも、連通後の開口部全体としての向きを２つの壁部に対して交差するようにして、例えば、車椅子等の出入りを容易にした室内のブース構造を提供する。【解決手段】第１壁部１０は、交差部Ｓのある端部側から他方の端部側に延びる第１開口部Ｋ１を有する第１固定壁１１と、第１開口部Ｋ１を閉鎖する閉鎖位置と開放する開放位置Ｐ２との間でスライド移動する引き戸１２とを備え、第２壁部２０は、交差部Ｓのある端部側から他方の端部側に延びる第２開口部Ｋ２を有する第２固定壁２１と、第２開口部Ｋ２を閉鎖する閉鎖位置と開放する開放位置との間で揺動移動する開き戸２２とを備え、引き戸と前記開き戸とは、開放位置に配置された際に第１開口部Ｋ１と第２開口部Ｋ２とを連通させる。【選択図】図２
2011127373.tif 000002
【特許請求の範囲】
【請求項１】
室内における床面と天井面との間を、交差部で相互に交差する矩形状の第１壁部と矩形状の第２壁部とを含む複数の壁部によって区画することで、閉鎖されたブースを構成する室内のブース構造において、
前記第１壁部は、前記交差部のある端部側から他方の端部側に延びる第１開口部を有する第１固定壁と、前記第１開口部を閉鎖する閉鎖位置と開放する開放位置との間でスライド移動する引き戸とを備え、
前記第２壁部は、前記交差部のある端部側から他方の端部側に延びる第２開口部を有する第２固定壁と、前記第２開口部を閉鎖する閉鎖位置と開放する開放位置との間で揺動移動する開き戸とを備え、
前記引き戸と前記開き戸とは、前記閉鎖位置に配置された際に前記交差部においてそれぞれの先端部を当接させるとともに、前記開放位置に配置された際に前記第１開口部と前記第２開口部とを連通させる、
ことを特徴とする室内のブース構造。
【請求項２】
前記第１固定壁は、前記第１開口部における前記交差部から遠い側の上下方向の端縁及び第１開口部における上側の横方向の端縁に沿って「Ｌ」字形に構成され、
前記第２固定壁は、前記第２開口部における前記交差部から遠い側の上下方向の端縁及び第２開口部における上側の横方向の端縁に沿って「Ｌ」字形に構成されている、
ことを特徴とする請求項１に記載の室内のブース構造。
【請求項３】
前記第１固定壁は、前記交差部から遠い側に配置されて前記床面から前記天井面まで延びる第１縦パネルと、基端部が前記第１縦パネルの上部に固定されて先端部が前記交差部まで延びる第１横パネルとを有し、
前記第２固定壁は、前記交差部から遠い側に配置されて前記床面から前記天井面に向かって延びる第２縦パネルと、基端部が前記第２縦パネルの上端と前記天井面との間に固定されて先端部が前記交差部まで延びる第２横パネルとを有する、
ことを特徴とする請求項２に記載の室内のブース構造。
【請求項４】
前記第１横パネルの先端部と前記第２横パネルの先端部とが前記交差部において相互に接続され、
前記引き戸は、前記第１横パネルの下端に吊架され、
前記開き戸は、前記第２縦パネルの前記交差部に近い側の端部によって揺動自在に支持される、
ことを特徴とする請求項３に記載の室内のブース構造。
【請求項５】
前記開き戸と前記第２縦パネルとの間に明かり採りが設けられている、
ことを特徴とする請求項４に記載の室内のブース構造。
【請求項６】
前記開き戸は、前記ブースの外側と内側との双方に揺動可能である、
ことを特徴とする請求項４又は５に記載の室内のブース構造。
【請求項７】
前記開き戸は、前記開放位置が、前記第２縦パネルの外面に略密着する位置と、前記第２縦パネルの内面に略密着する位置との双方に設定されている、
ことを特徴とする請求項６に記載の室内のブース構造。
【請求項８】
前記開き戸は、前記閉鎖位置に配置された際に、前記床面に形成された凹部に係合可能な出没自在な係止具と、前記天井面に形成された凹部に係合可能な出没自在な係止具とのうちの少なくとも一方を有する、
ことを特徴とする請求項４ないし７のいずれか１項に記載の室内のブース構造。
【請求項９】
前記開き戸が折り戸である、
ことを特徴とする請求項４ないし８のいずれか１項に記載の室内のブース構造。
【請求項１０】
前記引き戸は、下面にスライド移動方向に沿って延びるガイド溝を有し、
前記第１縦パネルには、前記引き戸の下面と前記床面との間を介して前記ガイド溝に係合するガイド凸部が設けられ、
前記ガイド凸部は、前記閉鎖位置に配置された前記引き戸と前記開放位置に配置された前記引き戸とが重なる部分である引き残しに対応する位置に配置されている、
ことを特徴とする請求項４ないし９のいずれか１項に記載の室内のブース構造。
【発明の詳細な説明】
【技術分野】
【０００１】
本発明は、室内を壁部によって区画してブースを構成する室内のブース構造に関する。
【背景技術】
【０００２】
従来、例えば、室内のブース（例えば、トイレや洗面所）を改造して車椅子が入れるようにしたり、初めから車椅子が入れるようにブースを構成したりすることが行われている。
【０００３】
この場合、ブースの開口部を広くとって、開口部を介しての車椅子の出入りを可能にしている。開口部には、通常、引き戸や開き戸が設置されて、開閉を可能にしている。このうちスライド動作する引き戸は、開放時に配置される場所（収納袋）を確保する必要がある。一方、開き戸は、回転するための空間が必要となる。このため、比較的狭隘な室内においては、両者を組み合わせて設置すると好適な場合が発生する。
【０００４】
特許文献１には、引き戸と開き戸とを組み合わせた構成が開示されている。このものは、１つの壁部に、引き戸と開き戸とをそれぞれの開放位置では、先端が当接するように配置し、それぞれを開放位置に配置したときには、大きな開口部が構成されるようにしている。このように、引き戸と開き戸とを組み合わせることで、例えば、引き戸だけ、あるいは開き戸だけでは、確保することができなかった大きな開口部を確保できる。
【先行技術文献】
【特許文献】
【０００５】
【特許文献１】特開２００６−９７３７５号公報
【発明の概要】
【発明が解決しようとする課題】
【０００６】
しかしながら、上述の特許文献１では、１つの壁部における開口部を広くとることは可能であるものの、例えば、ブースに対して車椅子の出入りを円滑に行うには、単に、１つの壁部の開口面積を大きくしただけでは十分でない場合があった。
【０００７】
そこで、本発明は、相互に交差する２つの壁部のそれぞれの開口部が連通するようにして、開口部の開口面積を広くすることができ、しかも、連通後の開口部全体としての向きを２つの壁部に対して交差するようにして、例えば、車椅子等の出入りを容易にした室内のブース構造を提供することを目的とするものである。
【課題を解決するための手段】
【０００８】
上記目的を達成するために、本発明は、室内における床面と天井面との間を、交差部で相互に交差する矩形状の第１壁部と矩形状の第２壁部とを含む複数の壁部によって区画することで、閉鎖されたブースを構成する室内のブース構造において、前記第１壁部は、前記交差部のある端部側から他方の端部側に延びる第１開口部を有する第１固定壁と、前記第１開口部を閉鎖する閉鎖位置と開放する開放位置との間でスライド移動する引き戸とを備え、前記第２壁部は、前記交差部のある端部側から他方の端部側に延びる第２開口部を有する第２固定壁と、前記第２開口部を閉鎖する閉鎖位置と開放する開放位置との間で揺動移動する開き戸とを備え、前記引き戸と前記開き戸とは、前記閉鎖位置に配置された際に前記交差部においてそれぞれの先端部を当接させるとともに、前記開放位置に配置された際に前記第１開口部と前記第２開口部とを連通させる、ことを特徴とする。ここで、交差部とは、第１壁部と第２壁部とが交差する部分をいい、引き戸及び開き戸を閉鎖位置に配置した際の両者の当接部分及び個の当接部分の上方向上の延長部もこれに相当する。具体的には、後述する第１横パネルと第２横パネルの先端部の当接部も交差部に相当する。
【０００９】
上記構成によれば、引き戸と開き戸とをそれぞれ閉鎖位置に配置して、交差部においてそれぞれの先端部を当接させることにより、第１開口部と第２開口部をと閉じて、第１壁部及び第２壁部を構成して、閉鎖されたブースを構成することができる。一方、引き戸と開き戸とをそれぞれ開放位置に配置して第１開口部と第２開口部とを開いてこれらを連通させることができる。こうして連通によって構成された開口部は、単に、開口面積が広くなるばかりでなく、第１開口部及び第２開口部に対して、角度をもった開口部となり、例えば、単に同一壁部上で開口部が広くなる場合では、ブース内に進入することが困難であった車椅子等の進入を可能にする。
【００１０】
上記構成において、前記第１固定壁は、前記第１開口部における前記交差部から遠い側の上下方向の端縁及び第１開口部における上側の横方向の端縁に沿って「Ｌ」字形に構成され、前記第２固定壁は、前記第２開口部における前記交差部から遠い側の上下方向の端縁及び第２開口部における上側の横方向の端縁に沿って「Ｌ」字形に構成されている、ようにしてもよい。
【００１１】
この構成によれば、第１壁部及び第２壁部は、それぞれ第１開口部及び第２開口部の上側の横方向の端縁に沿う部分、つまり、第１開口部及び第２開口部と天井面との間に位置する部分がいわゆる片持ち梁に相当するので、天井面に掛かる荷重を低減することができる。
【００１２】
上記構成において、前記第１固定壁は、前記交差部から遠い側に配置されて前記床面から前記天井面まで延びる第１縦パネルと、基端部が前記第１縦パネルの上部に固定されて先端部が前記交差部まで延びる第１横パネルとを有し、前記第２固定壁は、前記交差部から遠い側に配置されて前記床面から前記天井面に向かって延びる第２縦パネルと、基端部が前記第２縦パネルの上端と前記天井面との間に固定されて先端部が前記交差部まで延びる第２横パネルとを有する、ようにしてもよい。
【００１３】
この構成によれば、第１横パネル及び第２横パネルを、片持ち状態で天井面に大きな負荷をかけることなく支持することができる。さらに、ブースを構成するに際し、第１壁部及び第２壁部を、パネルと引き戸と開き戸とを組み合わせて構成することができるので、例えば、従来は、室内の内装と同様に、造作大工工事、ボード工事、クロス工事、幅木工事、建具工事等の多数の工事が必要であったのと比較して、簡単な工事で短時間で施工することができる。
【００１４】
上記構成において、前記第１横パネルの先端部と前記第２横パネルの先端部とが前記交差部において相互に接続され、前記引き戸は、前記第１横パネルの下端に吊架され、前記開き戸は、前記第２縦パネルの前記交差部に近い側の端部によって揺動自在に支持される、ようにしてもよい。
【００１５】
この構成によれば、引き戸や開き戸の開閉動作を円滑に行うためのレール等を床面に設ける必要がないので、床面をフラットにすることができる。さらに、開き戸は第２縦パネルによって支持されているので、第２横パネルには開き戸の荷重はかからない。これに対し、第１横パネルには吊架している引き戸の荷重がかかるが、第１横パネルは、その先端部が、開き戸の荷重がかからない第２横パネルの先端部に接続されてこれによって支持されている。つまり、第１横パネルは、その基端部が第１縦パネルによって支持され、その先端部が第２横パネルによって支持されて、いわゆる両持ち梁を構成するので、天井面に荷重をかけることなく、引き戸を吊架することができる。
【００１６】
上記構成において、前記開き戸と前記第２縦パネルとの間に明かり採りが設けられている、ようにしてもよい。
【００１７】
この構成によれば、引き戸及び開き戸が閉鎖された状態においても、ブース内に外部の明かりを採り入れることができ、また逆に、外部からブース内のようすを窺うことができる。
【００１８】
上記構成において、前記開き戸は、前記ブースの外側と内側との双方に揺動可能である、ようにしてもよい。
【００１９】
この構成によれば、開き戸近傍の状態や使用状態に応じて、揺動方向を自由に選択することができる。
【００２０】
上記構成において、前記開き戸は、前記開放位置が、前記第２縦パネルの外面に略密着する位置と、前記第２縦パネルの内面に略密着する位置との双方に設定されている、ようにしてもよい。
【００２１】
この構成によれば、開閉位置に配置された開き戸が邪魔になりにくい。
【００２２】
上記構成において、前記開き戸は、前記閉鎖位置に配置された際に、前記床面に形成された凹部に係合可能な出没自在な係止具と、前記天井面に形成された凹部に係合可能な出没自在な係止具とのうちの少なくとも一方を有する、ようにしてもよい。
【００２３】
この構成によれば、開き戸を閉鎖位置に確実に位置決めすることができる。
【００２４】
上記構成において、前記開き戸が折り戸である、ようにしてもよい。この構成によれば、開閉時に要するスペースを小さくすることができる。
【００２５】
上記構成において、前記引き戸は、下面にスライド移動方向に沿って延びるガイド溝を有し、前記第１縦パネルには、前記引き戸の下面と前記床面との間を介して前記ガイド溝に係合するガイド凸部が設けられ、前記ガイド凸部は、前記閉鎖位置に配置された前記引き戸と前記開放位置に配置された前記引き戸とが重なる部分である引き残しに対応する位置に配置されている、ようにしてもよい。
【００２６】
この構成によれば、ガイド溝及びガイド凸部によって、引き戸の開閉動作を円滑に行うことができ、また、閉鎖位置及び開放位置に配置された引き戸の不要な揺れを防止することができる。さらに、ガイド凸部は、引き戸の引き残し対応する位置に配置されているので、常時、引き戸によって隠されて露出することがないので、足が引っ掛かったり、外観を損ねたりすることがない。
【発明の効果】
【００２７】
本発明によれば、相互に交差する２つの壁部のそれぞれの開口部が連通するようにして、開口部の開口面積を広くすることができ、しかも、連通後の開口部全体としての向きを２つの壁部に対して交差するように変更して、例えば、車椅子等の出入りを容易にすることができる。
【図面の簡単な説明】
【００２８】
【図１】図１〜図６は、実施形態１を説明する図であり、図１は、引き戸１２及び開き戸２２が閉鎖位置Ｐ１，Ｐ３に配置された状態のブース構造１を外側（室内ＲＯ側）から見た図である。
【図２】引き戸１２が開放位置Ｐ２に配置され、開き戸２２が開閉途中位置Ｐ５に配置された状態のブース構造１を外側（室内ＲＯ側）から見た図である。
【図３】ブース構造１を、室内ＲＯの上下方向（高さ方向）の略中間を通る水平な平面（不図示）で切って上方から見た図である。
【図４】図２中のＸ−Ｘ線矢視図である。
【図５】第２縦パネル２３と第２横パネル２４との固定方法を説明する斜視図である。
【図６】蝶番２６を上方から見た概略である。
【図７】ブース構造１の他の適用例を説明する図である。
【発明を実施するための形態】
【００２９】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３０】
図１〜図６を参照して、本発明を適用した実施形態１に係る室内のブース構造1について説明する。なお、本実施形態では、室内のブース構造1（以下単に、ブース構造1という。）を、室内ＲＯの２つの壁面Ｗ１，Ｗ２が交差するコーナーＣｏに、便器Ａが配置されたトイレ用のブースＢに適用する場合を例に説明する。
【００３１】
図１〜図３のうち、図１は、引き戸１２及び開き戸２２が閉鎖位置Ｐ１，Ｐ３に配置された状態のブース構造１を外側から見た図である。図２は、引き戸１２が開放位置Ｐ２に配置され、開き戸２２が開閉途中位置Ｐ５に配置された状態のブース構造１を外側から見た図である。図３は、ブース構造１を、室内ＲＯの上下方向（高さ方向）の略中間を通る水平な平面（不図示）で切って上方から見た図である。
【００３２】
図１〜図３に示すように、ブース構造１は、室内ＲＯにおける床面Ｆと天井面Ｃとの間を、交差部Ｓで相互に交差する矩形状の第１壁部１０と矩形状の第２壁部２０とを含む複数の壁部によって区画することで、閉鎖されたブースＢを構成するものである。なお、本実施形態では、ブース構造１は、第１壁部１０と第２壁部２０とによって構成されている。ブースＢは、室内ＲＯの一部を構成する床面Ｆ，天井面Ｃ，２つの壁面Ｗ１，Ｗ２と、これら第１壁部１０、第２壁部２０とによって、室内ＲＯから区画された空間を構成している。なお、本実施形態では、壁面Ｗ１，Ｗ２と第１壁部１０と第２壁部２０とによって直方体状のブースＢを構築する場合を例に説明する。
【００３３】
第１壁部１０は、「Ｌ」字形に構成された第１固定壁１１と、この第１固定壁１１によって構成される第１開口部Ｋ１を開閉する引き戸１２とを備えている。ここで、「Ｌ」字形とは、その形状をいうのであって、その向きについては任意であり、さらに、「Ｌ」と鏡面関係にある形状も含むものとする。
【００３４】
第１固定壁１１は、第１開口部Ｋ１における交差部Ｓから遠い側の上下方向の端縁及び第１開口部Ｋ１における上側の横方向の端縁に沿って「Ｌ」字形に形成されている。さらに、具体的には、第１固定壁１１は、交差部Ｓから遠い側に配置されて床面Ｆから天井面Ｃまで延びる第１縦パネル１３と、基端部１４ａが第１縦パネル１３の上端部（上部）１３ｃに固定されて先端部１４ｂが交差部Ｓまで延びる第１横パネル１４とを有している。
【００３５】
図４は、図２中のＸ−Ｘ線矢視図である。
【００３６】
第１縦パネル１３及び第１横パネル１４としては、例えば、一般的な矩形の合板を使用することができる。第１縦パネル１３及び第１横パネル１４は、矩形の４辺に対応する位置に角材からなる枠木ａを配して額縁状に組み合わせ、その表面及び裏面に薄板ｂを貼りつけることによって構成されており、内部は空間となっていて軽量化が図られている。さらに、第１縦パネル１３及び第１横パネル１４の表面及び裏面には、木目調のオレフィン系のシート（不図示）が貼り付けられて、高級感を出している。なお、枠木ａは、強度が必要な部分には、本数を多くしている。例えば、図４の第１縦パネル１３の上端部１３ｃには、２本の枠木ａが、また、下端部１３ａには４本の枠木ａが配置されている。
【００３７】
図１に示すように、第１縦パネル１３及び第１横パネル１４は、金属製（例えば、アルミニウム製）の長尺部材であるチャンネルＴ１〜Ｔ５によって取り付けられている。なお、チャンネルＴ１〜Ｔ５を区別する必要がない場合には、単にチャンネルＴという。チャンネルＴ（例えば、図４のチャンネルＴ３参照）は、長手方向に直交する断面形状が、基部Ｔａと２つの屈曲部Ｔｂからなる「コ」字形となっていて、その基部Ｔａを天井面Ｃ、床面Ｆ、壁面Ｗ１等の相手部材に当接させて、その基部Ｔａを長手方向の適当間隔で、釘等の締結部材Ｔｃによって打ちつけることで固定されている。なお、チャンネルＴは、主に各パネルの位置決めに使用されるものであって、荷重を支持する作用はほとんど、後述の第１縦パネル１３、第２縦パネル２３が担っている。
【００３８】
第１縦パネル１３は、その下端部１３ａを床面Ｆに固定したチャンネルＴ１の開口部に、その側端部１３ｂを壁面Ｗ１に固定したチャンネルＴ２の開口部に、その上端部１３ｃを天井面Ｃに固定したチャンネルＴ３の開口部にそれぞれ挿入し、適宜、屈曲部Ｔｂを貫通する釘，ねじ等の締結部材（不図示）によって固定されている。また、第１横パネル１４は、その基端部１４ａを第１縦パネル１３の上部に重ねるようにして、基端を壁面Ｗ１に固定したチャンネルＴ４の開口部に、上端部１４ｃを天井面Ｃに固定したチャンネルＴ５の開口部にそれぞれ挿入し、適宜、屈曲部Ｔｂを貫通する締結部材によって固定されている。
【００３９】
さらに、第１横パネル１４は、基端部１４ａを貫通する複数の締結具（不図示）によって第１縦パネル１３の上端部１３ｃに固定されている。第１横パネル１４は、主にこれらの締結具によって片持ち状態で支持されている。すなわち、第１横パネル１４は、チャンネルＴ５を介して天井面Ｃには固定されたはいるものの、この固定は位置決めする程度であって、その荷重のほとんどが第１縦パネル１３によって支持されている。つまり、天井面（天井）Ｃにはほとんど負荷がかからない。
【００４０】
第１横パネル１４は、その下端面１４ｄに略その全長にわたってレール部材Ｒが敷設されている。レール部材Ｒは、図４の長手方向に直交する断面に示すように、枠木ａに埋め込むようにして敷設されている。レール部材Ｒは、基部Ｒ１とこの基部Ｒ１の両側を下方に向けて屈曲させた屈曲部Ｒ２とこれら屈曲部Ｒ２の先端（下端）を内側に屈曲させた転動部Ｒ３とを有していて、２つの転動部Ｒ３の間には間隙Ｇが形成されている。
【００４１】
引き戸１２は、第１横パネル１４によって吊架されている。引き戸１２は、上述の第１縦パネル１３、第１縦パネル１４と同様のパネル構造となっていて、軽量化が図られている。引き戸１２は、その上端部１２ｃの幅方向の両端部、すなわち基端部１２ａと先端部１２ｂとにそれぞれランナーＭが取り付けられている。ランナーＭは、図４に示すように、軸Ｍ１によって回転自在に支持された２個のローラＭ２と、軸Ｍ１から張架された連結部材Ｍ３と、連結部材Ｍ３を支持する固定部材Ｍ４とを有していて、固定部材Ｍ４がねじＭ５によって引き戸１２の上部に固定されている。なお、基端部１２ａ側のランナーＭは、引き戸１２が閉鎖位置Ｐ１に配置された状態においても、第１縦パネル１３から外れない位置に配置されていて、引き戸１３によって第１横パネル１４の先端部１４ｂ側にかかるモーメントを低減するようになっている。
【００４２】
一方、引き戸１２の下端面１２ｄには、その略全長にわたってガイド溝１２ｅが設けられている。このガイド溝１２ｅには、第１縦パネル１３の下端部１３ａの外面（室内ＲＯ側を向いた面）の下部に固定されたガイド部材Ｎのガイド凸部Ｎ１が係合されている。なお、このガイド部材Ｎは、図３に示す引き戸１２の引き残しＨ、すなわち、閉鎖位置Ｐ１に配置された状態の引き戸１２の基端部（基端縁）１２ａと、開放位置Ｐ２に配置された状態の引き戸１２の先端部（先端縁）１２ｂとの間に位置する領域（引き残しＨ）に配置されているため、引き戸１２に隠れて外部に露出されることがない。このため、ガイド部材Ｎは、これに人がつまずいたり、外観を損ねたりするようなことはない。
【００４３】
引き戸１２の先端部１２ｂにおける上下方向の中央近傍には、外面側（室内ＲＯに向いた面）及び内面側（ブースＢに向いた面）の双方に把手１５が取り付けられている。
引き戸１２の上端面と第１横パネル１４の下端面１４ｄとの間、及び引き戸１２の下端面１２ｄと床面Ｆとの間には、引き戸１２のスライド動作が円滑に行うことができる必要最小限の間隙が設けてある。なお、引き戸１２の下端側については、比較的大きな間隙を設けて、例えば、内部のようすを窺うために、床面Ｆに伏せた場合には、内部にいる者の足元が見えるようにしてもよい。
【００４４】
引き戸１２は、ランナーＭの２つのローラＭ２がレール部材Ｒの転動部Ｒ３上を転動することにより、第１横パネル１４に吊架され、さらに、ガイド部材Ｎにガイドされた状態で、第１横パネル１４の下端に沿って安定した姿勢でスライド移動して閉鎖位置Ｐ１と開放位置Ｐ２との間を移動して第１開口部Ｋ１を開閉するようになっている。
【００４５】
第２壁部２０は、「Ｌ」字形に構成された第２固定壁２１と、この第２固定壁２１によって構成される第２開口部Ｋ２を開閉する開き戸２２とを備えている。
【００４６】
第２固定壁２１は、第２開口部Ｋ２における交差部Ｓから遠い側の上下方向の端縁及び第２開口部Ｋ２における上側の横方向の端縁に沿って「Ｌ」字形に形成されている。さらに、具体的には、第２固定壁２１は、交差部Ｓから遠い側に配置されて床面Ｆから天井面Ｃに向かって延びる第２縦パネル２３と、基端部２４ａが第２縦パネル２３の上端面（上端）２３ｂと天井面Ｃとの間に固定されて先端部２４ｂが交差部Ｓまで延びる第２横パネル２４とを有している。
【００４７】
第２縦パネル２３及び第２横パネル２４としては、上述の第１縦パネル１３や第１横パネル１４と同様の合板を使用することができる。
【００４８】
第２縦パネル２３及び第２横パネル２４は、上述のチャンネルＴ１〜Ｔ５と同様のチャンネルＴ６〜Ｔ８によって取り付けられている。
【００４９】
第２縦パネル２３は、その下端部２３ａを床面Ｆに固定したチャンネルＴ５の開口部に、その側端部２３ｃを壁面Ｗ２に固定したチャンネルＴ７の開口部にそれぞれ挿入し、適宜、屈曲部Ｔｂを貫通する釘，ねじ等の締結部材（不図示）によって固定されている。また、第２横パネル２４は、基端部２４ａを上述のチャンネルＴ７の上部の開口部に、その上端部２４ｃを天井面Ｃに固定したチャンネルＴ８の開口部にそれぞれ挿入し、適宜、屈曲部Ｔｂを貫通する釘，ねじ等の締結部材（不図示）によって固定されている。
【００５０】
図５は、第２縦パネル２３と第２横パネル２４との固定方法を説明する斜視図である。第２縦パネル２３の上端面２３ｂには、円筒状の固定孔２３ｅが等間隔で複数箇所に穿設されている。一方、第２横パネル２４の下端面２４ｄには、固定孔２３ｅと同様の固定孔２４ｅが、複数の固定孔２３ｅのそれぞれと対応する位置に穿設されている。そして、各固定孔２３ｅ，２４ｅの組にそれぞれ円柱状の栓Ｑを嵌合させ、第２縦パネル２３の上端面２３ｂに第２横パネル２４の下端面２４ｄを乗せることで第２縦パネル２３と第２横パネル２４とを固定している。
【００５１】
すなわち、第２横パネル２４は、その基端部２４ａが第２縦パネル２３によって支持されて、いわゆる片持ち梁を構成している。さらに言うと、第２横パネル２４は、チャンネルＴ８を介して天井面Ｃには固定されてはいるものの、この固定は位置決めする程度であって、その荷重のほとんどが第２縦パネル２３によって支持されている。つまり、天井面（天井）Ｃにはほとんど負荷がかからない。
【００５２】
第２横パネル２４は、その先端部２４ｂが、交差部Ｓにおいて、第１横パネル１４の先端部１４ｂに締結具（不図示）によって固定されている。この結果、第１横パネル１４は、その基端部１４ａが第１縦パネル１３によって支持され、その先端部１４ｂが第２横パネル２４によって支持されて、いわゆる両持ち梁を構成することになる。
【００５３】
開き戸２２は、上述の第１縦パネル１３、第１横パネル１４と同様のパネル構造となっていて、軽量化が図られている。開き戸２２は、略床面Ｆから第２横パネル２４まで延設されており、基端部２２ａが開閉機構２５を介して第２縦パネル２３によって揺動可能に支持されていて、閉鎖位置Ｐ３に配置された際には、先端部２２ｂが交差部に位置するように構成されている。開き戸２２の下端２２ｃと床面Ｆとの間、及び上端２２ｄと第２横パネル２４の下端面２４ｄとの間には、必要最小限の間隙が設けられている。
【００５４】
開閉機構２５は、第２縦パネル２３の上端側と開き戸２２の上端側との間、及び第２縦パネル２３の下端側と開き戸２２の下端側との間に配設されている。開閉機構２５としては、一般的な蝶番を使用することができるが、例えば、特許第３８５３２９１号に係る蝶番を使用すると好適である。図６にこの蝶番２６を上方から見た概略を示す。
【００５５】
蝶番２６は、第２縦パネル２３側及び開き戸２２側にそれぞれ取り付けられたギヤ２６ａ，２６ｂが噛合されており、両ギヤ２６ａ，２６ｂはそれぞれの中心に配置された軸２６ｃ，２６ｄがリンク２６ｅによって連結されている。これにより、開き戸２２の開閉動作に伴い、開き戸２２と一体のギヤ２６ｂは、固定側のギヤ２６ａに対して、噛み合う歯を移動させながら自転するとともに、リンク２６ｅに規制されて公転することになる。この蝶番２６を使用すれば、第２縦パネル２３に対して、開き戸２２を略３６０度回転させることが可能である。
【００５６】
すなわち、開き戸２２は、室内ＲＯ側とブースＢ側との双方に開閉可能であり、かつ、図３に二点鎖線で示すように、開放時の開放位置Ｐ４を、第２縦パネル２３の外面（室内ＲＯ側の面）及び内面（ブースＢ側の面）の双方に略密着する位置に設定することが可能であり、極めて便利である。さらに、この蝶番２６を使用すれば、上の蝶番２６と下の蝶番２６との間に空間が形成されるので、この部分に例えば、半透明な部材を設けて明かり採り２７を構成することができる。
【００５７】
この明かり採り２７としては、半透明なポリカーボネイトを使用することができる。明かり採り２７は、ブースＢ内に室内ＲＯの明かりを採り入れることはもちろん、逆に、室内ＲＯ側からブースＢ内の状況を大雑把に知ることができる。さらに、この蝶番２６を使用すれば、特許第３８５３２９１号に係る明細書に記載されているように、第２縦パネル２３と開き戸２２との間に指等を挟まないような構成とすることが可能である。
【００５８】
図２に示すように、開き戸２２の先端部２２ｂにおける内面（ブースＢ側の面）の下端には、下端２２ｃから下方に向かって出入り可能な突起を有するフランス落とし（係合具）２８が設けてあって、開き戸２２が閉鎖位置Ｐ３に配置された際に、床面Ｆに形成されている係合穴（凹部）Ｆ１に突起を係合させることで、開き戸２２を確実に閉鎖位置Ｐ３に位置決めできるようになっている。なお、同様のフランス落とし２８を、開き戸２２の先端部２２ｂにおける内面の上端にも設け、さらにこれが係脱可能な係合穴（不図示）を第２横パネル２４の下端面２４ｄに設けるようにしてもよい。この場合には、開き戸２２をさらに確実に閉鎖位置Ｐ３に位置決めすることができる。この状態で、引き戸１２の先端部１２ｂを開き戸２２の先端部２２ｂの内面に当接させることで、引き戸１２を確実に、閉鎖位置Ｐ１に位置決めすることができる。
【００５９】
開き戸２２は、閉鎖位置Ｐ３に配置することにより、第２開口部Ｋ２を閉鎖することができ、開放することで、第２開口部Ｋ２を開放することができる。このとき、さらに、上述の引き戸１２を開放して第１開口部Ｋ１を開放することにより、両開口部Ｋ１，Ｋ２が合成されて新たな第３開口部Ｋ３が構成される。この第３開口部Ｋ３は、第１開口部Ｋ１及び第２開口部Ｋ２に対して角度をもって構成される。このため、例えば、車椅子等を曲がることなく直進で便器Ａに近づけたり、便器Ａから離したりすることが可能となる。
【００６０】
なお、開き戸には、縦長の複数のパネルを接続して構成したいわゆる折り戸も含まれるものとする。
【００６１】
以上説明したように本実施形態に係るブース構造１によれば、以下のような作用・効果を奏する。
【００６２】
・ブースＢを構築するための施工が簡単で、短時間での施工が可能である。
すなわち、チャンネルＴを床面Ｆ、壁面Ｗ１，Ｗ２、天井面Ｃに取り付け、後は、パネル状の、第１縦パネル１３、第１横パネル１４、引き戸１２、第２縦パネル２３、第２横パネル２４、開き戸２２を組み合わせたり固定したりするだけで、すべての施工を行うことができるので、従来とは異なり、多数の業者による多数の工程（工事）が不要で、単一の業者による施工が可能であり、また施工期間も短縮できる。また、室内工事がすべて完了した後や、増改築にも簡単に対応することができる。
【００６３】
・壁面Ｗ１，Ｗ２、天井面Ｃに大きな荷重がかかることがない。
引き戸１２は、両持ち梁を構成する第１横パネル１４によって支持し、開き戸２２は、第２縦パネル２３によって支持するので、特に、天井Ｃに大きな負担がかかることはない。
【００６４】
・図２に示すように、引き戸１２及び開き戸２２を開放すると、第１開口部Ｋ１と第２開口部Ｋ２とが合成された第３開口部Ｋ３が形成され、それぞれの単独の開口面積に対して開口面積が広がるのはもちろん、第３開口部Ｋ３は、第１開口部Ｋ１、第２開口部Ｋ２に対して角度をもって形成されるので、例えば、車椅子を便器Ａに向かって真っすぐに出し入れすることが可能になる。つまり、一般的に、交差部Ｓに対応する位置には柱が必要であるが、この柱を取り外したのと同等の効果がある。
【００６５】
・チャンネルＴは、荷重を支える作用がほとんどないので、例えば、床面Ｆに対して天井面Ｃが不要に傾斜しているような場合には、チャンネルＴの内側で、相対的にパネルを傾斜させることで、不要な傾斜に容易に対処することができ、また、外部からは、この対処後の傾斜が視認されることがない。
【００６６】
・床面Ｆには、レール等の突起やガイド溝等を設ける必要がないので、これらに足をひっかけたり、これらが車椅子の出入りの障害となったりすることがない。
＜実施形態２＞
【００６７】
図７を参照して、ブース構造１の、他の適用例について説明する。
【００６８】
本実施形態では、便器Ａを有するブースＢを２つ、隣接して構築している。２つのブースＢは、１つの壁面Ｗ３を共通としており、また、便器Ａの背面側の壁面Ｗ４には、パイピングスペースＰＳが確保されている。
【００６９】
図示例によれば、それぞれのブースＢには、ブース構造１の、第１縦パネル１３、引き戸１２、第２縦パネル２３、開き戸２２等が配設されている。この例によれば、２つのブースＢが壁面Ｗ３を共有しているので、２つのブースＢをスペース効率よく構築することができる。さらに、例えば、パイピングスペースＰＳの背面側の壁面Ｗ５を基準として、図中の２つのブースＢと線対称となる位置にさらに２つのブースＢを構成するようにすれば、さらにスペース効率を高めることが可能である。
【００７０】
さらに、ブース構造１は、壁面が全くない、例えば、広い空間に、独立したブースＢを構築する場合にも適用することができる。図２に示す壁面Ｗ１に代えて、第３壁部（不図示）を設け、壁面Ｗ２に代えて、第４壁部（不図示）設けるようにすればよい。これら第３壁部，第４壁部は、図１に示す第１縦パネル１３と略同様にして、構成すればよい。すなわち、床面Ｆと天井面ＣとにチャンネルＴを設け、その間に第３縦パネル、第４縦パネル（いずれも不図示）を設ける。
【００７１】
以上により、第１壁部１０、第２壁部２０、第３壁部、第４壁部からなる４つの壁部で囲まれたブースを、室内ＲＯに独立に構築することができ、第１壁部１０の引き戸１２と第２壁部２０の開き戸２２を開放することで、大きな開口部Ｋ３を構成することができる。なお、さらに、第３壁部と第４壁部とのうちの一方に引き戸１２と同様の引き戸を設け、他方に開き戸２２と同様の開き戸を設けるようにしてもよい。この場合には、便器Ａを中心に略１８０度異なる位置からのブースＢへの出入りが可能となる。
【００７２】
以上の説明においては、ブースＢが直方体形状である場合を例に説明したが、本発明はこれに限定されるものではない。例えば、図１における壁面Ｗ１，Ｗ２が直交していない場合や、壁面Ｗ１に対して第１壁部１０が、あるいは壁面Ｗ２に対して第２壁部２０が直交していない場合や、第１壁部１０と第２壁部２０とが直交していない場合であっても、本発明に係るブース構造１を適用することが可能であり、適用した場合には、これらが直交する場合と略同等の効果を奏することができる。
【符号の説明】
【００７３】
１  ブース構造
１０  第１壁部
１１  第１固定壁
１２  引き戸
１２ｂ  引き戸の先端部
１２ｅ  ガイド溝
１３  第１縦パネル
１３ｃ  第１縦パネルの上端部（上部）
１４  第１横パネル
１４ａ  第１横パネルの基端部
１４ｂ  第１横パネルの先端部
２０  第２壁部
２１  第２固定壁
２２  開き戸
２２ｂ  開き戸の先端部
２３  第２縦パネル
２３ｂ  第２縦パネルの上端面（上端）
２４  第２横パネル
２４ａ  第２横パネルの基端部
２４ｂ  第２横パネルの先端部
２４ｄ  第２横パネルの下端面（下端）
２５  開閉機構
２６  蝶番
２７  明かり採り
２８  フランス落とし（係止具）
Ａ  便器
Ｂ  ブース
Ｃ  天井面
Ｆ  床面
Ｆ１  係合穴（凹部）
Ｈ  引き残し
Ｋ１  第１開口部
Ｋ２  第２開口部
Ｋ３  第３開口部
Ｎ１  ガイド凸部
Ｐ１  引き戸の閉鎖位置
Ｐ２  引き戸の開放位置
Ｐ３  開き戸の閉鎖位置
Ｐ４  開き戸の開放位置
ＲＯ  室内（ブースの外側、外部）
Ｓ  交差部
【図１】
2011127373.tif 000003
【図２】
2011127373.tif 000004
【図３】
2011127373.tif 000005
【図４】
2011127373.tif 000006
【図５】
2011127373.tif 000007
【図６】
2011127373.tif 000008
【図７】
2011127373.tif 000009